(57)【特許請求の範囲】
【請求項１】
プラスチック材料を主体としてなる包装袋の上端部分外表面に、ほぼ平坦なプラスチックフィルムにより構成してなり、平面形状が円形もしくは角形形状をなす掛止部材をその中央部分で、また、環状をなす掛止部材をその内周側部分で、包装袋からはみ出すことなく貼着させて、その掛止部材と包装袋との間への剛性支持部材の入れ込みによる、剛性支持部材と貼着部との当接に基づいて、剛性支持部材による包装袋の吊下げ支持を可能としてなる掛止部付き包装袋。
【請求項２】
プラスチック材料を主体としてなる包装袋の上端部分外表面に、平面形状が環状をなす、ガスを封入したプラスチック袋状体により構成してなる掛止部材を、その内周側部分で、包装袋からはみ出すことなく貼着させて、その掛止部材と包装袋との間への剛性支持部材の入れ込みによる、剛性支持部材と貼着部との当接に基づいて、剛性支持部材による包装袋の吊下げ支持を可能としてなる掛止部付き包装袋。
【請求項３】
請求項１もしくは２に記載の掛止部付き包装袋と、包装袋と前記掛止部材との間に差し込まれる剛性支持部材と、この剛性支持部材に設けられて、掛止部材の、包装袋への貼着部に外接する切欠部とを具えてなる掛止部付き包装袋の掛止構造。
【発明の詳細な説明】
【０００１】
【発明の属する技術分野】
この発明は、粘稠物をも含む液体、粉粒状物等の包装に広く一般に使用されている、プラスチック材料を主体とする可撓性の包装袋に、ユーザが事後的に液体等の注出部材等を装着するに当り、その装着を容易かつ確実ならしめる掛止部付き包装袋およびその掛止構造に関するものである。
【０００２】
【従来の技術】
定型性を有しない可撓性包装袋をもって、たとえば液体を包装した場合において、液体の全量を一度に用い尽し得ないときには、残った液体をそのまま可撓性包装袋内に保存する必要から、液体のユーザが、それの購入後に、包装体の外表面に事後的に接着もしくは粘着させることができる各種の容器蓋、栓などが提案されている（特開平２−127254号公報、実開平２−108872号公報、実開平６−76104 号公報参照）。
【０００３】
【発明が解決しようとする課題】
ところで、特開平２−127254号公報に開示された容器蓋のように、首部の端の外周部に設けた縁を接着剤によって袋の外表面に接着させた状態で、ナイフ等を用いて、首部の内側に沿って袋を切取るものにあっては、袋の切取りに際する被包装物の不測の流出等を阻止するために、ナイフ等を握る手とは反対側の手で袋を立姿勢に維持してその切取りを行うことが必須となるところ、その反対側の手で、前記首部を摘んで袋を立姿勢とする場合は、とくに、その被包装物の重量が大きいときには、切取りが終了するまで袋の重量を支持することが困難である。この一方で、首部が袋の表面から剥離するおそれが高い不都合があり、これに対し、袋の上端部分を摘んでそれを立姿勢とする場合および、このことに加えて、袋の安定性をより高めるべく、首部の接着側表面とは反対側の袋の裏面側にも指を添えてそれを支持する場合には、ナイフ等の刃先が、袋の表面側のみならず裏面側にも達してそこに不要の切傷等が生じるおそれがあった。
【０００４】
そして、この後者のことは、実開平２−108872号公報および実開平６−76104号公報のそれぞれに開示された栓に関する考案においてもまたほぼ同様であり、これらの考案は、袋の外表面に粘着もしくは接着させた口本体もしくは注出口部に対し、その外周面に螺合する蓋部材をねじ込むことによって、蓋部材に取付けた付き棒もしくは開封刃によって袋を開口させるものである。しかしながら、その蓋部材をねじ込むに当って、蓋部材を保持する手とは反対側の手によって口本体もしくは注出口部を摘んで袋を立姿勢とすることは不可能であり、従って、袋の立姿勢への維持は、袋の上端部分を摘むこと、または、それに加えて、口本体等の粘着側表面とは反対側の袋の裏面側にも指を添えることによって行われることになるため、蓋部材のねじ込みによって進出変位された突き棒もしくは開封刃が、袋の表面側のみならず、それに近接もしくは接触して位置する裏面側にまで達するおそれが極めて高いという問題があった。
【０００５】
この発明は、従来技術の有するこのような問題点を解決することを課題として検討した結果なされたものであり、この発明の目的は、可撓性の包装袋に、従来技術で述べたような容器蓋もしくは栓を用いる場合においてはもちろん、単純な突き刺し型の注出部材を装着する場合においてもなお、注出部材の装着表面とは反対側の表面に、不測の切傷等を生じさせることがなく、しかも、被包装物の重量の大小にかかわらず、蓋、栓等の包装袋外表面からの剥離を十分に防止し、併せて、その重量の支持を極めて容易なものとする掛止部付き包装袋およびそれの掛止構造を提供するにある。
【０００６】
【課題を解決するための手段】
この発明の掛止部付き包装袋は、プラスチック材料を主体としてなる可撓性包装袋の上端部分外表面に、ほぼ平坦なプラスチックフィルムにより構成してなり、平面形状が円形もしくは角形形状をなす掛止部材をその中央部分で、また、環状をなす掛止部材をその内周側部分で、包装袋からはみ出すことなく貼着、たとえば融着させて、その掛止部材と包装袋との間への剛性支持部材の入れ込みによる、その支持部材と前記融着部との当接に基づき、剛性支持部材による包装袋の吊下げ支持を可能としたものであり、前記融着部領域もしくは、融着部にて囲まれた領域への容器蓋、栓などの注出部材の装着を可能とするものである。
【０００７】
ここで、前記掛止部材は、円形もしくは角形形状または環状をなすほぼ平坦なプラスチックフィルム、好ましくは、比較的腰の強い積層プラスチックフィルムにより構成するものとし、ときには独立したアルミニウム層、ガラス層等もしくはそれらの蒸着層または紙層などを含むものとすることもできる。
またこの掛止部材は、ガスを封入した環状プラスチック袋状体によって構成することもできる。
【０００８】
そして、この発明の掛止構造は、上述したような掛止部付き包装袋と、包装袋と掛止部材との間に差し込まれる剛性支持部材と、この剛性支持部材に設けられて、掛止部材の、包装袋への貼着部に外接する切欠部とを具えてなり、これによれば、切欠部による貼着部の拘束により、剛性支持部材をもって、包装袋を常に安定した立姿勢に支持することができ、かかる支持状態の下では、包装袋の、とくに掛止側の表面に、被包装物の重量に基づく引張力が作用して、その表面は緊張状態となる。従って、注出部材の、上述したよう領域への装着に当って、包装袋を手によって直接的に把持、保持等する必要なしに、容器蓋、栓等を接着もしくは粘着させ得ることはもちろん、包装袋への開口の形成、穿孔などに際しても、包装袋表面の十分な緊張下で、剛性支持部材に手を掛けることはあっても、包装袋には全く手を触れることなくその作業を行うことができる。
【０００９】
なお、ここでいう剛性支持部材の切欠部には、板状剛性支持部材に形成される各種形状の窪み部の他、枠状剛性支持部材に形成される各種形状の凹みをも含むものとする。
【００１０】
【発明の実施の形状】
以下にこの発明の実施の形態を図面に基づいて説明する。
図１は、掛止部付き包装袋の一の実施形態を、被包装物の充填状態で示す縦断面図であり、図中１は、プラスチック材料を主体としてなる可撓性の包装袋を示す。ここで、この包装袋を積層プラスチックフィルムにて構成する場合には、その積層構造を、たとえば外層側から順次に、ポリエステル層、延伸ナイロンフィルム層およびポリエチレン層とすることができる。
【００１１】
かかる包装袋の上端部分外表面には、平面形状が円形もしくは角形形状をなす掛止部材２を、所定の領域、たとえば従来既知の蓋, 栓等を接着もしくは粘着させるに必要な面積を十分に越える領域にわたって強固に接着させる。このような掛止部材２は、プラスチック成形体、プラスチックフィルムその他の適宜の材料にて構成し得ることはもちろんであるが、コストの低いプラスチックフィルムにてその掛止部材２を構成する場合には、それの包装袋表面への接着性、多くは熱融着性と、それ自身の腰の強さとを確保するために積層プラスチックフィルムとすることが好ましく、その積層構造は、たとえば、包装袋側から順次にポリエチレン層、延伸ナイロンフィルム層およびポリエステル層とすることができる。
また、掛止部材２は、それを比較的剛性の高いプラスチック成形体にて構成する場合には、包装袋および、被包装物を包装した後の商品の保管、搬送等に際しての、その掛止部材２の占有スペースを十分小ならしめるべく、また、プラスチックフィルムにて構成する場合には、特別の型付け工程等を不要ならしめるべく、図１(b) に示すような皿状形状をも含むほぼ平坦形状とすることが好ましい。
【００１２】
なおここにおいて、包装袋１の積層構造は、その内層側から、ポリエチレン層＋延伸ナイロンフィルム層＋ポリエチレン層、ポリエチレン層＋ポリエステル層＋ポリエチレン層、ポリエチレン層＋アルミニウム層＋ポリエステル層＋ポリエチレン層などとすることもでき、掛止部材２の積層構造は、包装袋側からポリエチレン層＋延伸ナイロンフィルム層、ポリエチレン層＋ポリエステル層、ポリエチレン層＋アルミニウム層＋ポリエステル層などとすることもできる。
【００１３】
図２は、掛止部の他の形態を例示する要部縦断面図であり、図２(a) に示すものは、掛止部材２を環状形状とし、この掛止部材２を、それの内周側部分で、包装袋１の上端部分外表面に強固に接着させたものである。ここにおける掛止部材２も、図１について述べたものと全く同様に構成することができる。
ところで、ここにおける掛止部材２の内径Ｄは、従来既知の容器蓋, 栓等を、包装袋の外表面に直接的に装着するに足る寸法とすることが好ましい。
【００１４】
また、図２(b) に示す例は、掛止部材２を、空気、不活性ガスなどとすることができるガスを充填封入してほぼドーナツ状に膨張させた環状のプラスチック袋状体により構成し、そのプラスチック袋状体を包装袋１に接着、好ましくは融着させたものである。ここで、プラスチック袋状体は、たとえば、ポリエステル,ナイロン等の単層フィルム、または、ポリエステルとポリエチレンとの積層フィルム、ナイロンとポリエチレンとの積層フィルム、その他の積層フィルムにより構成することができ、それの袋状への形成は、図示のように、二枚のフィルムの内外周辺部分のそれぞれを、加圧ガス雰囲気中で相互にヒートシールすることによって行うことができる。また、かかる袋状体の、包装袋１への接合は、ホットメルトや、ヒートシールによる融着、レーザービームを用いた融着等によって行うことができる。
そして、この場合においてもまた掛止部材２の内径Ｄは、既知の容器蓋, 栓等の、包装袋外表面への直接的な装着を十分に許容し得る寸法とする。
【００１５】
以上のように構成してなる掛止部付き包装袋では、その掛止部材２の中央部位置に注出部材を装着するに先だち、たとえば図３に、図２(a) に示す場合を例にとって示すように、包装袋１と、それの上端部分外表面に接着させた掛止部材２との間の隙間内へ、板状をなす直立姿勢の剛性支持部材３を入れ込む。そして、その剛性支持部材３に設けた、図では正面形状がほぼＵ字状をなす切欠部４内へ、掛止部材２の、包装袋１への、図では一点鎖線で囲まれる接着部分2bを収容し、好ましくは、その接着部分2bの下縁から両側縁にわたる周縁に切欠部４を外接させる。
ここで、この例の剛性支持部材３は、その切欠部４に、被包装物を包装した包装袋１の全重量が作用してもなお、その包装袋１を十分安定に支持し得るベースプレート５を有する。
【００１６】
図３(b) は、剛性支持部材３の切欠部４内へ、前記接着部分2bを完全に収容させることによって、その剛性支持部材３で、包装袋１を吊下げ支持した状態を示す縦断面図である。ここに示す包装袋１の吊下げ支持は、主には、切欠部４の下縁と、接着部分2bの下縁との接触下にて行われるので、接着部分2bの接着強度は、このような吊下げ支持の際の剪断力に耐え得るものであることが必要になる。なおこの一方において、袋の下端部分をベースプレート５上に載置する支持形態を採用する場合には、袋内重量の一部をそのベースプレート５によって支持することができるので、所要の剪断強度を幾分下げることが可能である。
【００１７】
ところで、これらのいずれの場合にあっても、掛止部材２の接着部分2bを剛性支持部材３の切欠部４に掛合させたときには、包装袋１、なかでも、掛止部材２を接着させた表面側は、被包装物の自重に基づいて大きく緊張されることになり、しかも、包装袋１の、接着部分2bにて囲撓された領域は、剛性支持部材３によってその可撓性を著しく拘束されることになる。
【００１８】
従って、環状をなす掛止部材２の中央部分で、包装袋１の外表面に、図３(b) に仮想線で示すように、既知の容器蓋, 栓等を装着するに当っては、その包装袋１を把持もしくは保持して包装袋１の逃げ変形を拘束すことは全く不要であり、このことは、かかる装着の後に、ナイフ等の刃物を用いて、または、蓋部材のねじ込みによって包装袋１に所要の開口、孔などを形成するに際しても同様である。その上、包装袋１の上述したような吊下状態にあっては、その包装袋内へ多量に封入された被包装物６により、包装袋１の掛止部材２を貼着された表面側と、それとは反対の裏面側とは十分な間隔をおいて位置することになるので、ナイフ等の刃物による、または蓋部材に取付けた突き棒もしくは開封刃による包装袋１の開封に際して、刃物等が包装袋１の裏面側部分に不測の切傷等をもたらすおそれはなく、このことは、図４に要部を断面図で示すような、突き刺し型の注出部材７を包装袋１に突き刺して使用する場合においてもまた同様である。
【００１９】
かくしてここでは、包装袋１への開口、孔などの形成に際して、包装袋１の裏面側部分に、意図しない切傷等が生じるのを十分に防止することができ、また、掛止部材２の、包装袋１への強固な接着ならびに、剛性支持部材３の作用に基づき、被包装物６の重量の大小にかかわらず、包装袋１に装着した蓋, 栓などの剥離のおそれを除去し、併せて、包装袋１の立姿勢への維持を極めて容易ならしめることができる。
【００２０】
なお、以上に述べた剛性支持部材３は、容器蓋等の装着および開口等の形成のためだけに用いることも可能であるが、包装袋開口からの被包装物６の注ぎ出しに際しての包装袋１の形状維持手段としても用いることもでき、それに加えて、もしくは代えて、残存被包装物を含む包装袋のスタンドとして用いることもできる。ここで、被包装物６の注ぎ出しのために、包装袋１とともに剛性支持部材３を傾けて使用する場合には、剛性支持部材３の切欠部４からの接着部分2bの抜け出しを有効に阻止すべく、図５に示すように、Ｕ字状の切欠部４の少なくとも一方、好ましくは双方の側壁に、切欠きを括れさせる方向に突出する突起4aを設けること、または、切欠部４の正面形状をＶ字状として、切欠部側壁を、接着部分2bに十分に摩擦掛合させることが好ましい。
【００２１】
図６は、剛性支持部材の他の例を示す図であり、これは、剛性支持部材３の全体を、被包装物を包装した包装袋１をそれの全体にわたって収容し得る箱形状とし、その前壁８の上端部分に、上述したいずれか一の構成の切欠部４を設け、そして、その剛性支持部材３の後壁９に、前壁８に対して開閉可能な蓋部材10をヒンジしたものである。ここで、この蓋部材10は、図示のように、それの閉止状態で切欠部内へ幾分入り込んで、接着部分2bの上縁に接触する突部10a を有するものとすることが好ましい。
【００２２】
このような剛性支持部材３は、包装袋１への蓋, 栓などの装着時点から、袋内被包装物６を消費し尽すまでの間継続して使用することができ、この剛性支持部材内に包装袋１を収容したまま被包装物６を注ぎ出す場合には、蓋部材10に指を当ててその開放変位を阻止することで、切欠部４からの接着部分2bの抜け出しを十分に防止することができる。
【００２３】
なお、図に示すところでは、包装袋１の下端部を、剛性支持部材３のベースプレート５としての底壁に、相当大きな面積で接触させているが、この接触量は、包装袋１への蓋、栓等の装着および、その包装袋１への開口等の形成のそれぞれを十分容易に行い得る範囲内で適宜に選択することができる。
【００２４】
以上この発明の実施形態を図面に示すところに基づいて説明したが、剛性支持部材、なかでも、包装袋と掛止部材との間に差し込まれるそれの直立部分は、必ずしも板状である必要はなく、所要の内外輪郭形状を有する枠部材にて構成することもでき、この場合には、上述したような切欠部は、枠部材の凹み部によって形成されることになる。
【００２５】
【発明の効果】
かくして、この発明によれば、蓋, 栓等の注出部材の、包装袋外表面への装着、および、その包装袋への開口その他の注出口の形成を、その包装袋および、装着済み注出部材を把持、保持等することなく行うことができるので、それらの作業を、被包装物の重量の大小にかかわらず、装着済み注出部材の剥離のおそれなしに、常に容易にかつ簡単に行うことができるとともに、注出口の形成に際する、包装袋の裏面側部分への切傷等の発生を効果的に防止することができる。
【図面の簡単な説明】
【図１】掛止部付き包装袋の実施形態を示す縦断面図である。
【図２】掛止部付き包装袋の他の実施形態を示す要部縦断面図である。
【図３】包装袋の掛止構造の実施形態を示す図である。
【図４】突き刺し型注出部材の適用例を示す実施形態を示す要部断面図である。
【図５】切欠部の他の例を示す正面図である。
【図６】剛性支持部材の他の例を示す図である。
【符号の説明】
１  包装袋
２  掛止部材
2a  耳部
2b  接着部分
３  剛性支持部材
４  切欠部
4a  突起
５  ベースプレート
６  被包装物
７  突き刺し型注出部材
８  前壁
９  後壁
10  蓋部材
10a   突部
【図１】
0003708184.tif 000002
【図２】
0003708184.tif 000003
【図３】
0003708184.tif 000004
【図４】
0003708184.tif 000005
【図５】
0003708184.tif 000006
【図６】
0003708184.tif 000007